(57)【特許請求の範囲】
【請求項１】
オンされたときにヒータ及びモータをオン可能な状態とすると共に、オフされたときにヒータ及びモータを共通にオフするスイッチング手段と、
マイクロコンピュータを備えて構成され、前記スイッチング手段をオンオフ制御するスイッチング手段制御部と、
プッシュスイッチからなり電源入りと電源切りとを兼用する電源スイッチと、
この電源スイッチのオンオフ状態を検知する電源スイッチ状態検知部と、
プッシュスイッチからなる運転開始スイッチと、
この運転開始スイッチのオンオフ状態を検知する運転開始スイッチ状態検知部とを備え、
前記マイクロコンピュータは、前記ヒータ及び前記モータをそれぞれ通電制御するように構成され、
前記スイッチング手段制御部は、前記電源スイッチ状態検知部により検知した検知出力と前記運転開始スイッチ状態検知部により検知した検知出力に基づいて、前記電源スイッチがオン操作されて電源入りが指示された状態となった後、前記運転開始スイッチがオン操作されて運転開始が指示されたときに、前記スイッチング手段をオンするように構成されていることを特徴とする乾燥機の電源スイッチ回路。
【請求項２】
スイッチング手段制御部は、マイクロコンピュータ等を備えて成る通電制御部と、電源スイッチを備えて成る強制遮断部とから構成されていることを特徴とする請求項１記載の乾燥機の電源スイッチ回路。
【請求項３】
スイッチング手段制御部は、電源スイッチ状態検知部により電源スイッチオン状態を検知した後、運転開始スイッチ状態検知部により検知した検知出力が運転開始スイッチオン状態となってから第１の所定時間が経過した時点でスイッチング手段をオンし、この後、前記検知出力が運転開始スイッチオン状態となってから第２の所定時間が経過した時点で負荷の制御を許可するように構成されていることを特徴とする請求項１または２記載の乾燥機の電源スイッチ回路。
【請求項４】
スイッチング手段をリレーで構成すると共に、
第１の所定時間と第２の所定時間との時間差を、前記リレーのリレーコイルを通電開始してから前記リレーのリレー接点が動作するまでに要する動作時間よりも長く設定したことを特徴とする請求項３記載の乾燥機の電源スイッチ回路。
【請求項５】
スイッチング手段制御部は、運転開始スイッチ状態検知部により検知した検知出力が運転開始スイッチオン状態となってから第２の所定時間が経過する前に、前記検知出力が運転開始スイッチオン状態でなくなった場合には、スイッチング手段をオフするように構成されていることを特徴とする請求項３または４記載の乾燥機の電源スイッチ回路。
【請求項６】
運転開始スイッチ状態検知部により検知した検知出力が運転開始スイッチオン状態であることを判定する第１の基準値と、前記検知出力がスイッチング手段オン状態であることを判定する第２の基準値とを備えたことを特徴とする請求項３ないし５のいずれかに記載の乾燥機の電源スイッチ回路。
【発明の詳細な説明】
【０００１】
【発明の属する技術分野】
本発明は、電源入り用または電源切り用の電源スイッチとしてプッシュスイッチを備えて成る乾燥機の電源スイッチ回路に関する。
【０００２】
【従来の技術】
従来より、乾燥機においては、操作パネルにそれぞれプッシュスイッチからなる電源入り用スイッチ及び電源切り用スイッチを設け、これら電源入り用スイッチ及び電源切り用スイッチからのスイッチ信号を受けるマイクロコンピュータを設け、このマイクロコンピュータにより負荷の電源ラインに設けた電源リレーをオンオフ制御するように構成されている。この構成の場合、電源入り用スイッチがオン操作されると、マイクロコンピュータは電源リレーをオンし、電源切り用スイッチがオン操作されると、マイクロコンピュータは電源リレーをオフするように構成されている。
【０００３】
【発明が解決しようとする課題】
しかしながら、上記従来構成では、電源入り用及び電源切り用のスイッチとして２個のプッシュスイッチが必要であるので、スイッチの個数が多くなり、製造コストが高くなったり、スイッチの操作性が悪くなったりするという問題点があった。
【０００４】
そこで、本発明の目的は、電源入り用及び電源切り用のスイッチの個数を削減できて、製造コストを安くできると共に、スイッチの操作性を向上させることができる乾燥機の電源スイッチ回路を提供するにある。
【０００５】
【課題を解決するための手段】
本発明の乾燥機の電源スイッチ回路は、オンされたときにヒータ及びモータをオン可能な状態とすると共に、オフされたときにヒータ及びモータを共通にオフするスイッチング手段と、マイクロコンピュータを備えて構成され、前記スイッチング手段をオンオフ制御するスイッチング手段制御部と、プッシュスイッチからなり電源入りと電源切りとを兼用する電源スイッチと、この電源スイッチのオンオフ状態を検知する電源スイッチ状態検知部と、プッシュスイッチからなる運転開始スイッチと、この運転開始スイッチのオンオフ状態を検知する運転開始スイッチ状態検知部とを備え、前記マイクロコンピュータは、前記ヒータ及び前記モータをそれぞれ通電制御するように構成され、そして、前記スイッチング手段制御部は、前記電源スイッチ状態検知部により検知した検知出力と前記運転開始スイッチ状態検知部により検知した検知出力に基づいて、前記電源スイッチがオン操作されて電源入りが指示された状態となった後、前記運転開始スイッチがオン操作されて運転開始が指示されたときに、前記スイッチング手段をオンするように構成されているところに特徴を有する。
【０００６】
上記構成によれば、電源入り用及び電源切り用のスイッチとしては１個の電源スイッチを設け、この電源スイッチと元から存在する運転開始スイッチとからのスイッチ信号に応じて電源を入り切りする構成とした。このため、スイッチの個数を削減することができるから、製造コストが安くなると共にスイッチの操作性も向上する。
【０００７】
また、上記構成の場合、スイッチング手段制御部は、マイクロコンピュータ等を備えて成る通電制御部と、電源スイッチを備えて成る強制遮断部とから構成されていることが好ましい。更に、スイッチング手段制御部は、電源スイッチ状態検知部により電源スイッチオン状態を検知した後、運転開始スイッチ状態検知部により検知した検知出力が運転開始スイッチオン状態となってから第１の所定時間が経過した時点でスイッチング手段をオンし、この後、前記検知出力が運転開始スイッチオン状態となってから第２の所定時間が経過した時点で負荷の制御を許可するように構成されていることが良い。
【０００８】
更にまた、スイッチング手段をリレーで構成すると共に、第１の所定時間と第２の所定時間との時間差を、前記リレーのリレーコイルを通電開始してから前記リレーのリレー接点が動作するまでに要する動作時間よりも長く設定することが好ましい。この場合、スイッチング手段制御部は、運転開始スイッチ状態検知部により検知した検知出力が運転開始スイッチオン状態となってから第２の所定時間が経過する前に、前記検知出力が運転開始スイッチオン状態でなくなった場合には、スイッチング手段をオフするように構成されていることが良い。また、運転開始スイッチ状態検知部により検知した検知出力が運転開始スイッチオン状態であることを判定する第１の基準値と、前記検知出力がスイッチング手段オン状態であることを判定する第２の基準値とを備える構成とすることが好ましい構成である。
【０００９】
【発明の実施の形態】
以下、本発明を衣類乾燥機に適用した一実施例について図面を参照しながら説明する。まず、図１は衣類乾燥機の電気的構成の要部を示す電気回路図である。この図１において、交流電源１から導出された電源ライン２、３間には、第１のヒータ４と第１のリレー５のリレー接点５ａとを直列接続した直列回路、第２のヒータ６と第２のリレー７のリレー接点７ａとを直列接続した直列回路、及び、トライアック８とモータ９と第３のリレー１０のリレー接点１０ａとを直列接続した直列回路が並列に接続されている。
【００１０】
この場合、第１のヒータ４は第１のリレー５により通断電され、第２のヒータ６は第２のリレー７により通断電され、モータ９はトライアック８及び第３のリレー１０により通断電されるように構成されている。尚、第３のリレー１０は、ノイズ等によりトライアック８が誤動作したような場合でもモータ９を確実に断電するためのスイッチである。
【００１１】
そして、上記３個のリレー５、７、１０のリレーコイル５ｂ、７ｂ、１０ｂは、その各一方の端子をそれぞれ３個の例えばＰＮＰ形のトランジスタ１１、１２、１３の各コレクタに接続し、各他方の端子を例えば−１９Ｖの電源端子１４に共通接続している。上記トランジスタ１１、１２、１３の各エミッタは、例えば第４のリレー１５のリレー接点１５ａの一端に共通接続されている。この第４のリレー１５のリレー接点１５ａの他端は、例えば＋５Ｖの電源端子１６に接続されている。
【００１２】
この場合、第４のリレー１５のリレー接点１５ａがオンした状態で、３個のリレー５、７、１０のリレーコイル５ｂ、７ｂ、１０ｂは、それぞれ３個のトランジスタ１１、１２、１３によりオンオフ（通断電）されるように構成されている。そして、第４のリレー１５のリレー接点１５ａがオフされると、３個のリレー５、７、１０のリレーコイル５ｂ、７ｂ、１０ｂは全て同時にオフされる。この構成の場合、３個のリレー５、７、１０、並びに、ヒータ４、６、モータ９が負荷を構成し、第４のリレー１５がスイッチング手段を構成している。
【００１３】
また、第４のリレー１５のリレーコイル１５ｂの一方の端子は、例えばＰＮＰ形のトランジスタ１７のコレクタに接続され、他方の端子は−１９Ｖの電源端子１４に接続されている。上記トランジスタ１７のエミッタは、例えば常開形のプッシュスイッチからなるスタート一時停止スイッチ１８の一端に接続されている。このスタート一時停止スイッチ１８の他端は、例えば＋５Ｖの電源端子１６に接続されている。この場合、上記スタート一時停止スイッチ１８が運転開始スイッチを構成している。このスタート一時停止スイッチ１８は、衣類乾燥機の操作パネル（図示しない）に配設されている。
【００１４】
更に、スタート一時停止スイッチ１８の一端（トランジスタ１７のエミッタ）は、抵抗１９を介して第４のリレー１５のリレー接点１５ａの一端（トランジスタ１１、１２、１３のエミッタ）に接続されている。この場合、スタート一時停止スイッチ１８がオンした状態で、第４のリレー１５のリレーコイル１５ｂはトランジスタ１７によりオンオフ（通断電）されるように構成されている。そして、第４のリレー１５のリレーコイル１５ｂがオンされると、リレー接点１５ａがオンすることから、第４のリレー１５のオン状態を保持する自己保持回路が形成されるようになっている。
【００１５】
また、トランジスタ１７のベースは、抵抗２０、２１を介してマイクロコンピュータ２２の出力ポートＰ３に接続されている。これにより、マイクロコンピュータ２２は、スタート一時停止スイッチ１８がオンされている状態で、トランジスタ１７をオンオフ制御することが可能になっている。上記マイクロコンピュータ２２は、衣類乾燥機の運転全般を制御する機能を有しており、そのための制御プログラムを記憶している。この場合、マイクロコンピュータ２２とトランジスタ１７と第４のリレー１５とから通電制御部２３が構成されている。
【００１６】
更に、３個のトランジスタ１１、１２、１３の各ベースも、抵抗２４、２５、２６を介してマイクロコンピュータ２２の図示しない３個の出力ポートに接続されている。これにより、マイクロコンピュータ２２は、リレー接点１５ａがオンされている状態で、トランジスタ１１、１２、１３を各別にオンオフ制御することが可能になっている。尚、上記４個のトランジスタ１１、１２、１３、１７のエミッタとベース間には、それぞれ抵抗２７、２８、２９、３０が接続されている。
【００１７】
一方、スタート一時停止スイッチ１８の一端（トランジスタ１７のエミッタ）は、図示極性のダイオード３１を介してマイクロコンピュータ２２の入力ポートＰ１に接続されている。そして、上記入力ポートＰ１とアース（０Ｖ）との間に抵抗３２が接続されている。これにより、マイクロコンピュータ２２は、入力ポートＰ１の電圧レベルに基づいてスタート一時停止スイッチ１８がオン操作されたか否か（オン状態であるか否か）と、第４のリレー１５のリレー接点１５ａがオンしているか否か（電源オン表示状態であるか否か）とを判定することが可能になっている（詳しくは後述する）。この場合、スタート一時停止スイッチ１８とダイオード３１とマイクロコンピュータ２２と抵抗３２とから運転開始スイッチ状態検知部３３が構成されている。
【００１８】
また、＋５Ｖの電源端子１６と、抵抗２０及び抵抗２１の中間接続点との間には、例えばＰＮＰ形のトランジスタ３４が接続されている。このトランジスタ３４のベースは、抵抗３５を介して例えば常開形のプッシュスイッチからなる電源スイッチ３６の一端に接続されていると共に、マイクロコンピュータ２２の入力ポートＰ２に接続されている。上記電源スイッチ３６の他端は、アースされている。この電源スイッチ３６は、電源を入り、または、切りするためのスイッチである。そして、電源スイッチ３６は、前記スタート一時停止スイッチ１８と共に衣類乾燥機の操作パネルに配設されている。尚、トランジスタ３４のベースとエミッタとの間には、抵抗３７が接続されている。
【００１９】
この場合、電源スイッチ３６をオン操作することにより、トランジスタ３４をオンすることが可能になっている。そして、このトランジスタ３４がオンすると、抵抗２０、２１の中間接続点がハイレベルとなり、トランジスタ１７が強制的にオフされる。これにより、第４のリレー１５のリレーコイル１５ｂが断電され、リレー接点１５ａが強制的にオフされるようになっている。この構成の場合、トランジスタ３４と電源スイッチ３６とマイクロコンピュータ２２とから強制遮断部３８が構成されている。この強制遮断部３８と前記通電制御部２３とからスイッチ手段制御部３９が構成されている。
【００２０】
また、マイクロコンピュータ２２は、入力ポートＰ２の電圧レベルに基づいて電源スイッチ３６がオン操作されたか否か（オン状態であるか否か）を判定可能に構成されている。具体的には、電源スイッチ３６がオン操作されたときは入力ポートＰ２がロウレベル（０Ｖ）となり、オン操作されていないときは入力ポートＰ２がハイレベル（５Ｖ）となっている。この構成の場合、電源スイッチ３６とマイクロコンピュータ２２とから電源スイッチ状態検知部４０が構成されている。尚、図示はしないが、＋５Ｖ及び−１９Ｖの定電圧を供給する定電圧回路が設けられている。
【００２１】
更に、前記操作パネルには、電源スイッチ３６やスタート一時停止スイッチ１８の他に乾燥運転コース等を設定する各種の操作スイッチが配設されていると共に、乾燥運転コースや運転状態等を表示する表示装置が配設されている。そして、マイクロコンピュータ２２は、上記各種の操作スイッチからのスイッチ信号を受けると共に、上記表示装置を駆動制御するように構成されている。また、マイクロコンピュータ２２は、乾燥運転に必要な種々のセンサ（温度センサや乾燥率検知用電極等）からのセンサ信号を受けるように構成されている。
【００２２】
次に、上記構成の作用、特には、電源スイッチ３５またはスタート一時停止スイッチ１８を操作したときの動作について、図２ないし図７も参照して説明する。ここで、図２ないし図４に示すフローチャートは、マイクロコンピュータ２２に記憶されている制御プログラムのうちの部分制御、即ち、電源スイッチ３６またはスタート一時停止スイッチ１８を操作したときの動作の制御内容を示している。まず、電源スイッチ３６を操作して電源を入れる場合及び電源を切る場合の動作について説明する。この場合、電源が切れている状態で、電源スイッチ３６を押圧操作すると、電源が入り、反対に、電源が入っている状態で、電源スイッチ３６を押圧操作すると、電源が切れるようになっている。
【００２３】
具体的には、図２のステップＳ１において、まず電源オン表示がなされているか否かを判断する。この電源オン表示とは、マイクロコンピュータ２２により操作パネルの表示装置が点灯駆動された状態であり、使用者から見ると、電源が入っている状態である。ここで、電源オン表示がなされていなければ、即ち、電源が切れた状態であれば、ステップＳ１にて「ＮＯ」へ進み、電源スイッチ３６が操作されたか否かを判断する。この場合、電源スイッチ３６がオン操作されたか否かは、マイクロコンピュータ２２のポートＰ２のレベルで判定可能になっている。
【００２４】
そして、マイクロコンピュータ２２は、電源スイッチ３６のスイッチ状態を例えば５．８９ｍｓ毎にポーリング判定し、例えば連続６回電源スイッチ３６がオン状態（ポートＰ２がロウレベル）であることを判定したときに、具体的には、図５の時刻ｔ１において、電源スイッチ３６がオン操作されたと判定するように構成されている（ステップＳ２、Ｓ３、Ｓ４参照）。この場合、連続６回電源スイッチ３６のオン状態を判定する前に、電源スイッチ３６がオフ状態になった場合には、電源スイッチ３６がオン操作されたとは判定しない。尚、図５の（ａ）のタイムチャートでは、電源スイッチ３６のオン状態を「閉」で示し、オフ状態を「開」で示している。続いて、電源スイッチ３６がオン操作されたと判定した後は、ステップＳ５へ進み、マイクロコンピュータ２２は、操作パネルの表示装置を駆動して電源オン表示を行うように構成されている。
【００２５】
一方、ステップＳ１において、電源が入った状態であれば、「ＹＥＳ」へ進み、電源スイッチ３６がオン操作されたか否かを判断する（ステップＳ６、Ｓ７、Ｓ８）。この場合の判断処理は、上述したステップＳ２、Ｓ３、Ｓ４の処理と同じである。そして、電源スイッチ３６がオン操作されたと判定した後は、ステップＳ９へ進み、マイクロコンピュータ２２は、操作パネルの表示装置を駆動停止して電源オフ表示を行うと共に、電源ラッチ出力、具体的には、マイクロコンピュータ２２のポートＰ３のレベルをオフ状態（ハイレベル）にする。尚、電源オフ表示とは、操作パネルの表示装置が消灯された状態であり、使用者から見ると、電源が切れている状態である。
【００２６】
次に、スタート一時停止スイッチ１８を操作して乾燥運転を開始させる場合及び乾燥運転を一時停止させる場合の動作について説明する。この場合、電源が入っている状態で、且つ、運転が開始されていない状態で、スタート一時停止スイッチ１８を押圧操作すると、運転が開始され、反対に、運転が実行（開始）されている状態で、スタート一時停止スイッチ１８を押圧操作すると、運転が一時停止されるようになっている。
【００２７】
具体的には、図３のステップＳ１０１において、まず電源オン表示がなされているか否かを判断する。ここで、電源オン表示がなされていれば、即ち、電源が入った状態であれば、ステップＳ１０１にて「ＹＥＳ」へ進み、モータ９やヒータ４、６等が通電駆動されているか否か（以下、「モータ９等の出力がオンされているか否か」という）を判断する（ステップＳ１０２）。この場合、乾燥運転が開始されていなければ、モータ９等の出力がオフであるから、ステップＳ１０２にて「ＮＯ」へ進む。
【００２８】
続いて、スタート一時停止スイッチ１８が操作されたか否かを判断する（ステップＳ１０３）。この場合、スタート一時停止スイッチ１８がオン操作されたか否かは、マイクロコンピュータ２２のポートＰ１のレベルで判定可能になっており、この判定処理については詳しくは後述する。そして、マイクロコンピュータ２２は、スタート一時停止スイッチ１８のスイッチ状態を例えば５．８９ｍｓ毎にポーリング判定し、例えば連続４回スタート一時停止スイッチ１８がオン状態である（即ち、ポートＰ１のレベルが第１の基準値である例えば３．５Ｖを越えている）ことを判定したときに、電源ラッチリレー（第４のリレー１５）をオンするように構成されている（ステップＳ１０３、Ｓ１０４、Ｓ１０５、Ｓ１０６参照）。
【００２９】
具体的には、マイクロコンピュータ２２は、図６の時刻ｔ１２において、ポートＰ３をロウレベルにして、トランジスタ１７をオンし、第４のリレー１５のリレーコイル１５ｂを通電することにより、第４のリレー１５のリレー接点１５ａをオンするように構成されている。そして、マイクロコンピュータ２２は、スタート一時停止スイッチ１８のスイッチ状態のポーリング判定を続け、例えば連続７回スタート一時停止スイッチ１８がオン状態であることを判定したとき、具体的には、図６の時刻ｔ１３において、スタート一時停止スイッチ１８がオン操作されたと判定するように構成されている（ステップＳ１０７、Ｓ１０８、Ｓ１０９参照）。この場合、上記した連続４回ポーリング判定するのに要する時間が第１の所定時間であり、連続７回ポーリング判定するのに要する時間が第２の所定時間である。
【００３０】
続いて、マイクロコンピュータ２２は、トランジスタ１１〜１３を適宜オンすることにより、モータ９やヒータ４、６等を通電駆動し（即ち、モータ９等の出力をオンし）、乾燥運転を開始する（ステップＳ１１０）。尚、連続７回スタート一時停止スイッチ１８のオン状態を判定する前に、スタート一時停止スイッチ１８がオフ状態になった場合には、スタート一時停止スイッチ１８がオン操作されたとは判定しない。この場合、連続４回スタート一時停止スイッチ１８のオン状態を判定する前に、スタート一時停止スイッチ１８がオフ状態になった場合には、上記ステップＳ１０３にて「ＮＯ」へ進み、何もしない。
【００３１】
また、連続４回スタート一時停止スイッチ１８のオン状態を判定した後、連続７回スタート一時停止スイッチ１８のオン状態を判定する前に、スタート一時停止スイッチ１８がオフ状態になった場合には、上記ステップＳ１０７にて「ＮＯ」へ進み、電源ラッチリレー（第４のリレー１５）をオフする、具体的には、マイクロコンピュータ２２のポートＰ３をハイレベルにするように構成されている（ステップＳ１１１）。尚、上記ステップＳ１０１において、電源オン表示がなされていない場合、即ち、電源が切れた状態の場合も、ステップＳ１０１にて「ＮＯ」へ進み、何もしないでリターンする。また、上記構成では、スタート一時停止スイッチ１８が操作されたと判定された時点（時刻ｔ１３）で、モータ９等の出力をオンする構成としたが、これに限られるものではなく、上記時刻ｔ１３から予め決められた設定時間（例えば３５．３４ｍｓ）だけ遅れた時点でモータ９等の出力をオンするように構成しても良い。
【００３２】
次に、運転が実行（開始）されている状態で、スタート一時停止スイッチ１８が押圧操作されたときの動作について説明する。この場合、運転が実行されている、即ち、モータ９等の出力がオンであるから、上記ステップＳ１０２にて「ＹＥＳ」へ進む。そして、スタート一時停止スイッチ１８が操作されたか否かを判断する（ステップＳ１１２）。ここで、マイクロコンピュータ２２は、例えば連続７回スタート一時停止スイッチ１８がオン状態であることをポーリング判定したとき、具体的には、図６の時刻ｔ１４で、スタート一時停止スイッチ１８がオン操作されたと判定するように構成されている（ステップＳ１１２、Ｓ１１３、Ｓ１１４参照）。
【００３３】
続いて、マイクロコンピュータ２２は、第４のリレー１５（電源ラッチリレー）をオフすると共に、モータ９等の出力をオフするように構成されている（ステップＳ１１５）。具体的には、マイクロコンピュータ２２は、図６の時刻ｔ１４において、ポートＰ３をハイレベルにして、トランジスタ１７をオフし、第４のリレー１５のリレーコイル１５ｂを断電することにより、第４のリレー１５のリレー接点１５ａをオフする。これと共に、マイクロコンピュータ２２は、３個のトランジスタ１１〜１３をオフするように各トランジスタ制御用のポートのレベルを設定制御するように構成されている。
【００３４】
さて、ここで、マイクロコンピュータ２２のポートＰ１のレベルに基づいて、スタート一時停止スイッチ１８がオン操作されたか否かを判定する処理と、第４のリレー１５のリレー接点１５ａがオン状態であるか否かを判定する処理とについて説明する。この場合、図７において、時刻ｔ２１でスタート一時停止スイッチ１８がオンしたとすると、マイクロコンピュータ２２のポートＰ１が例えば４．３０Ｖ（図７（ｂ）参照）になる。この電圧は、図１に示されるように、＋５Ｖをダイオード３１と抵抗３２で分圧した電圧であり、第１の基準値（３．５Ｖ）を越えるように設定されている。
【００３５】
一方、第４のリレー１５のリレー接点１５ａがオンし、更に、スタート一時停止スイッチ１８がオフすると、図１に示されるように、＋５Ｖを抵抗１９とダイオード３１と抵抗３２で分圧した電圧、例えば２．５２Ｖ（図７（ｂ）参照）がマイクロコンピュータ２２のポートＰ１に入力されるようになる。上記電圧は、第２の基準値（１．５Ｖ）を越えると共に、第１の基準値（３．５Ｖ）よりも低い電圧となるように設定されている。これにより、ポートＰ１のレベルを上記二つの基準値と比較することにより、スタート一時停止スイッチ１８がオン操作されたか否か、並びに、第４のリレー１５のリレー接点１５ａがオン状態であるか否かを判定することが可能である。以下、この判定処理について、具体的に説明する。
【００３６】
まず、図４のステップＳ２０１において、マイクロコンピュータ２２のポートＰ１の電圧レベルが第２の基準値である１．５Ｖ以上であるか否かを判断する。ここで、スタート一時停止スイッチ１８がオン操作されていれば、または、第４のリレー１５のリレー接点１５ａがオン状態であれば、ポートＰ１のレベルが１．５Ｖ以上であるから、ステップＳ２０１にて「ＹＥＳ」へ進む。そして、マイクロコンピュータ２２は、第４のリレー１５のリレー接点１５ａがオン状態であること（即ち、電源リレーがオン状態であること）を読み込む（記憶する）ように構成されている（ステップＳ２０２）。
【００３７】
続いて、マイクロコンピュータ２２のポートＰ１の電圧レベルが第１の基準値である３．５Ｖ以上であるか否かを判断する（ステップＳ２０３）。ここで、スタート一時停止スイッチ１８がオン操作されていれば、ポートＰ１のレベルが３．５Ｖ以上であるから、ステップＳ２０３にて「ＹＥＳ」へ進む。そして、マイクロコンピュータ２２は、スタート一時停止スイッチ１８がオン状態であることを読み込む（記憶する）ように構成されている（ステップＳ２０４）。また、上記ステップＳ２０３において、スタート一時停止スイッチ１８がオン操作されていなければ、ポートＰ１のレベルが３．５Ｖ以上にならないから、ステップＳ２０３にて「ＮＯ」へ進み、リターンするようになっている。
【００３８】
一方、上記ステップＳ２０１において、スタート一時停止スイッチ１８がオン操作されておらず、しかも、第４のリレー１５のリレー接点１５ａがオフ状態であれば、マイクロコンピュータ２２のポートＰ１のレベルが１．５Ｖ以上にならないから、ステップＳ２０１にて「ＮＯ」へ進む。続いて、マイクロコンピュータ２２は、電源オン表示がなされているか否かを判断する（ステップＳ２０５）。ここで、電源オン表示がなされていなければ、ステップＳ２０５にて「ＮＯ」へ進み、何もしないでリターンするようになっている。
【００３９】
また、電源オン表示がなされておれば、ステップＳ２０５にて「ＹＥＳ」へ進み、マイクロコンピュータ２２は、第４のリレー１５（電源ラッチリレー）をオフすると共に、モータ９等の出力をオフするように構成されている（ステップＳ２０６）。具体的には、マイクロコンピュータ２２は、ポートＰ３をハイレベルにしてトランジスタ１７をオフすると共に、３個のトランジスタ１１〜１３をオフするように各トランジスタ制御用のポートのレベルを設定制御するように構成されている。
【００４０】
ここで、スタート一時停止スイッチ１８をオン操作することにより、第４のリレー１５のリレー接点１５ａがオン状態となる場合のポートＰ３のレベルの変化を図７（ｂ）に示す。この場合、スタート一時停止スイッチ１８をオン操作すると、ポートＰ３のレベルが４．３０Ｖまで上昇し、この後、連続７回スタート一時停止スイッチ１８のオン状態を判定した後、時刻ｔ２４でスタート一時停止スイッチ１８の操作を止めると、このときには、第４のリレー１５のリレー接点１５ａがオン状態となっているから、ポートＰ３のレベルが２．５２Ｖに低下してそのレベルで保持されるようになる。
【００４１】
更に、この後、スタート一時停止スイッチ１８がオン操作されると、図示はしないが、ポートＰ３のレベルが再び４．３０Ｖまで上昇するようになっている。そして、この場合は、運転中にスタート一時停止スイッチ１８のオン操作が行われた場合であるから、この後は前述したようにして第４のリレー１５のリレー接点１５ａがオフされるから、ポートＰ３のレベルは０Ｖに低下する。
【００４２】
尚、上述した３つの制御（図２ないし図４の各フローチャート）はマイクロコンピュータ２２の割り込み処理により例えば０．１ｍｓ或いはそれよりも短い時間間隔で繰り返し実行されるように構成されている。これにより、上記３つの制御は、ほぼパラレル（同時）に実行されるようになっている。
【００４３】
また、上記構成において、乾燥運転の実行中に電源スイッチ３６をオン操作すると、電源を強制的に切ることが可能である。以下、この電源を切る場合の動作について説明する。この場合、運転の実行中は、第４のリレー１５のリレー接点１５ａがオン状態であると共に、トランジスタ１１〜１３が適宜オンされている。この状態で、電源スイッチ３６がオン操作されると、トランジスタ３４がオンされるため、抵抗２０、２１の中間接続点の電位がハイレベルになる。これにより、トランジスタ１７がオフされるから、第４のリレー１５のリレーコイル１５ｂが断電され、もって第４のリレー１５のリレー接点１５ａがオフされる（即ち、電源が実質的に切れた状態となる）。この結果、３個のリレー５、７、１０のリレーコイル５ｂ、７ｂ、１０ｂが断電され、モータ９やヒータ４、６が強制的に断電されるように構成されている。
【００４４】
このような構成の本実施例によれば、電源入り用及び電源切り用のスイッチとして１個の電源スイッチ３６を設け、この電源スイッチ３６と元から存在するスタート一時停止スイッチ１８とからのスイッチ信号に応じて電源を入り切りすると共に、乾燥運転を開始または停止する構成とした。このため、従来構成に比べて、スイッチの個数を削減することができるから、製造コストを安くすることができると共に、スイッチの操作性を向上させることができる。
【００４５】
また、上記実施例では、第４のリレー１５（即ち、電源ラッチリレー）をオンオフ制御するスイッチング手段制御部３９を、マイクロコンピュータ２２等を備えて成る通電制御部２３と、電源スイッチ３６を備えて成る強制遮断部３８とから構成した。これにより、通電制御部２３のマイクロコンピュータ２２が正常に動作しているときは、運転開始スイッチ状態検知部３３及び電源スイッチ状態検知部４０からの各検知出力（即ち、電源スイッチ３６及びスタート一時停止スイッチ１８からのスイッチ信号）に基づいて上記マイクロコンピュータ２２が電源を入り切りする（即ち、電源オン表示または電源オフ表示する）と共に、第４のリレー１５をオンオフ制御し、また、第１ないし第３のリレー５、７、１０（即ち、モータ９等）をオンオフ制御するように構成されている。
【００４６】
そして、乾燥運転中にマイクロコンピュータ２２が暴走することがあったとしても、電源スイッチ３６を操作すると、強制遮断部３８のトランジスタ３４がオンすることにより、トランジスタ１７がオフされ、もって第４のリレー１５をオフし、第１ないし第３のリレー５、７、１０及びモータ９等を全て断電停止することができるようになっている。即ち、マイクロコンピュータ２２の暴走時にも、電源スイッチ３６の操作により複数の負荷を確実に遮断すること（実質的に電源をオフすること）ができる。
【００４７】
更に、上記実施例では、スイッチング手段制御部３９（通電制御部２３）のマイクロコンピュータ２２は、電源スイッチ状態検知部４０により電源スイッチ３６のオン状態を検知した後、運転開始スイッチ状態検知部３３により検知した検知出力がスタート一時停止スイッチ１８のオン状態となってから第１の所定時間（ポーリング判定が連続４回オンとなる時間）が経過した時点で第４のリレー１５のリレーコイル１５ｂを通電開始（オン）し、この後、前記検知出力がスタート一時停止スイッチ１８のオン状態となってから第２の所定時間（ポーリング判定が連続７回オンとなる時間）が経過した時点で負荷の制御を許可する（具体的には、リレー１１〜１３を適宜オンする）ように構成した。
【００４８】
この構成によれば、第４のリレー１５の接点タイムディレイ、即ち、リレーコイル１５ｂを通電開始してから、リレー接点１５ａが実際にオンするまでの遅れ時間を補償することができる。これにより、上記第４のリレー１５のリレー接点１５ａがオンする前の（オン未完了の）状態で、マイクロコンピュータ２２がスタート一時停止スイッチ１８のスイッチ状態を誤判定するようなことを確実に防止できる。この結果、装置の信頼性を高くすることができる。上記構成の場合、第１の所定時間と第２の所定時間との時間差を、第４のリレー１５のリレーコイル１５ｂを通電開始してから該リレー１５のリレー接点１５ａが動作するまでに要する動作時間よりも長く設定することが好ましい。
【００４９】
更に、上記構成の場合、スイッチング手段制御部３９（通電制御部２３）のマイクロコンピュータ２２は、運転開始スイッチ状態検知部３３により検知した検知出力がスタート一時停止スイッチ１８のオン状態となってから第２の所定時間が経過する前に、上記検知出力がスタート一時停止スイッチ１８のオン状態でなくなった場合には、第４のリレー１５をオフするように構成した。これにより、第４のリレー１５のリレー接点１５ａがオンする前の（オン未完了の）状態では、マイクロコンピュータ２２がスタート一時停止スイッチ１８のスイッチ状態を判定しないから、該スイッチ状態を誤判定することがなくなる。
【００５０】
また、上記実施例では、運転開始スイッチ状態検知部３３により検知した検知出力、具体的には、マイクロコンピュータ２２のポートＰ１の電圧レベルがスタート一時停止スイッチ１８のオン状態であるか否かを判定する第１の基準値（３．５Ｖ）と、前記ポートＰ１の電圧レベルが第４のリレー１５（のリレー接点１５ａ）のオン状態であるか否かを判定する第２の基準値（１．５Ｖ）とをマイクロコンピュータ２２に備える（記憶する）構成とした。これにより、マイクロコンピュータ２２は、１つのポートＰ１により２つの状態を検知（判定）することができる。尚、マイクロコンピュータ２２のポートＰ１は、Ａ／Ｄ変換入力ポートから構成されている。
【００５１】
【発明の効果】
本発明は、以上の説明から明らかなように、オンされたときにヒータ及びモータをオン可能な状態とすると共に、オフされたときにヒータ及びモータを共通にオフするスイッチング手段と、マイクロコンピュータを備えて構成され、前記スイッチング手段をオンオフ制御するスイッチング手段制御部と、プッシュスイッチからなり電源入りと電源切りとを兼用する電源スイッチと、この電源スイッチのオンオフ状態を検知する電源スイッチ状態検知部と、プッシュスイッチからなる運転開始スイッチと、この運転開始スイッチのオンオフ状態を検知する運転開始スイッチ状態検知部とを備え、前記マイクロコンピュータは、前記ヒータ及び前記モータをそれぞれ通電制御するように構成され、そして、前記スイッチング手段制御部は、前記電源スイッチ状態検知部により検知した検知出力と前記運転開始スイッチ状態検知部により検知した検知出力に基づいて、前記電源スイッチがオン操作されて電源入りが指示された状態となった後、前記運転開始スイッチがオン操作されて運転開始が指示されたときに、前記スイッチング手段をオンするように構成したので、電源入り用及び電源切り用のスイッチの個数を削減して、製造コストを安くできると共に、スイッチの操作性を向上させることができるという優れた効果を奏する。
【図面の簡単な説明】
【図１】本発明の一実施例を示す電気回路図
【図２】電源入り切り処理のフローチャート
【図３】スタート一時停止処理のフローチャート
【図４】スタート一時停止スイッチのオン状態判定処理及び第４のリレーのオン状態の判定処理のフローチャート
【図５】電源入り切り処理のタイムチャート
【図６】スタート一時停止処理のタイムチャート
【図７】スタート一時停止スイッチのオン状態判定処理及び第４のリレーのオン状態の判定処理のタイムチャート
【符号の説明】
１は交流電源、４は第１のヒータ、５は第１のリレー、５ａはリレー接点、６は第２のヒータ、７は第２のリレー、７ａはリレー接点、８はトライアック、９はモータ、１０は第３のリレー、１０ａはリレー接点、１１、１２、１３はトランジスタ、１５は第４のリレー、１５ａはリレー接点、１５ｂはリレーコイル、１７はトランジスタ、１８はスタート一時停止スイッチ（運転開始スイッチ）、２２はマイクロコンピュータ、２３は通電制御部、３１はダイオード、３２は抵抗、３３は運転開始スイッチ状態検知部、３４はトランジスタ、３６は電源スイッチ、３８は強制遮断部、３９はスイッチング手段制御部、４０は電源スイッチ状態検知部を示す。
【図１】
0003682338.tif 000002
【図２】
0003682338.tif 000003
【図３】
0003682338.tif 000004
【図４】
0003682338.tif 000005
【図５】
0003682338.tif 000006
【図６】
0003682338.tif 000007
【図７】
0003682338.tif 000008